(57)【要約】【解決手段】一対の無端ベルト２でナットＮの両側面を挟着せしめるように一対の操作ベルト体３を配設する。ケース体Ｐの一部に切欠挿入口Ｐ１を設け、この切欠挿入口Ｐ１から操作ベルト体３の間にナットＮを導入する。ナットＮ側面に挟着する一対の無端ベルト１が平面略Ｖ字状になるように操作ベルト体３を配設する。各操作ベルト体３の動歯車４が前記駆動歯車５に同時に歯合するように設ける。【効果】作業時に振動等の発生を防止してナットを容易に装着することが可能になる。天井等から吊り下げられた全ねじボルトにナットを装着する場合でも、きわめて容易な操作でナットを回転させることができる。【選択図】　図１
2004001124.tif 000002
【特許請求の範囲】
【請求項１】
一対のローラー間に無端ベルトを配して回転自在に設けた操作ベルト体と、該操作ベルト体の一方のローラーに設けた動歯車に歯合して操作ベルト体を回転せしめる駆動歯車とをケース体の内部に収納し、一対の無端ベルトでナットの両側面を挟着せしめるように一対の操作ベルト体を配設すると共に、ケース体の一部に切欠挿入口を設け、この切欠挿入口から操作ベルト体の間にナットを導入することを特徴とする中間挿入式ナット回し工具。
【請求項２】
前記操作ベルト体は、ナット側面に挟着する一対の無端ベルトが平面略Ｖ字状になるように配設され、各操作ベルト体の動歯車が前記駆動歯車に同時に歯合するように設けた請求項１記載の中間挿入式ナット回し工具。
【請求項３】
前記駆動歯車は、締付け用工具の回転軸先端に着脱自在に連結する連結凹部を有する請求項１または２記載の中間挿入式ナット回し工具。
【発明の詳細な説明】
【０００１】
【発明の属する技術分野】
本発明は、主に、吊りボルト等として使用される長ボルトに、ナットをネジ止めする作業時間を短縮するのに好適な中間挿入式ナット回し工具に関する。
【０００２】
【従来の技術】
従来この種のナット回し工具として、実開昭６４−５００６５号公報に記載されたナット締付装置や、実公昭６４−２８８号記載のナット締め付け装置用アタッチメントなどが提案されている。前者の装置は、駆動側ローラーに一対の従動側ローラーを設け、駆動側ローラーから従動側ローラーに捲回した無端ベルトをナットの頭部側面に押し当てるもので、駆動側ローラーの回転力でナットを締付ける装置である。
【０００３】
一方、後者のアタッチメントは、前者の装置と同様に、駆動ローラーと一対のピンチローラーとにベルトを捲き付けたもので、特にピンチローラー間にバネを設け、ピンチローラーを開脚付勢することで、作業中のナットの保持を確実にしようとするものである。
【０００４】
【発明が解決しようとする課題】
ところが、前者のナット締付装置は、１本のベルトをナットの一側面に圧接した状態でベルトを回転させ、ベルトとナットの摩擦力でナットを回転せしめる装置なので、ベルトの回転力がナットの回転に十分に伝達できない不都合があった。特に、ナットの頭部は通常六角形を成しているので、この頭部側面に接するベルトは、角部と直線部とに交互に接することになる。すると、角部に接するときの摩擦力と直線部に接するときの摩擦力とに大きな差が生じることになり、ベルトを連続回転するとこの摩擦力の違いが振動となって作業者に伝わり作業の妨げになるおそれがあった。
【０００５】
また、後者のアタッチメントは、常に同じ圧力でベルトが接するようにするために、ピンチローラー間にバネを設け、ピンチローラーを開脚付勢している。しかしながら、ナットが回転するまでベルトをナットに押し当てるには、このバネの付勢力に抗した力が必要になるので、ナットを締付ける作業中は、ナットの側面にベルトを強く押し当てる必要がある。すると、全ねじボルトにナットを装着する場合、天井等から吊り下げられた全ねじボルトがこの押圧力で傾かないように押さえながら作業する必要があるなど、作業面での不都合が生じる。
【０００６】
そこで本発明は上述の課題を解消すべく創出されたもので、例えば天井等から吊り下げられた全ねじボルトにナットを装着する場合でも、きわめて容易にナット回転作業を行うことができる中間挿入式ナット回し工具の提供を目的とするものである。
【０００７】
【課題を解決するための手段】
上述の目的を達成すべく本発明の第１の手段は、一対のローラー１間に無端ベルト２を配して回転自在に設けた操作ベルト体３と、該操作ベルト体３の一方のローラー１に設けた動歯車４に歯合して操作ベルト体３を回転せしめる駆動歯車５とをケース体Ｐの内部に収納し、一対の無端ベルト２でナットＮの両側面を挟着せしめるように一対の操作ベルト体３を配設すると共に、ケース体Ｐの一部に切欠挿入口Ｐ１を設け、この切欠挿入口Ｐ１から操作ベルト体３の間にナットＮを導入することにある。
【０００８】
第２の手段の操作ベルト体３は、ナットＮ側面に挟着する一対の無端ベルト１が平面略Ｖ字状になるように配設され、各操作ベルト体３の動歯車４が前記駆動歯車５に同時に歯合するように設けている。
【０００９】
第３の手段における駆動歯車５は、締付け用工具Ｑの回転軸Ｑ１先端部に着脱自在に連結する連結凹部６を有することを課題解消のための手段とする。
【００１０】
本発明によると、ナットＮを両側から挟む無端ベルト２が、ナットＮを確実に保持しながら回転させるものである。
【００１１】
【発明の実施の形態】
以下、図面を参照して、本発明の実施の形態を詳細に説明する。本発明工具の主な構成は、操作ベルト体３、駆動歯車５、ケース体Ｐからなる（図２参照）。
【００１２】
操作ベルト体３は、一対のローラー１間に無端ベルト２を配して回転自在に設けたもので、この操作ベルト体３を一対使用する。そして、各操作ベルト体３のそれぞれ一方のローラー１に動歯車４を設け、この動歯車４を駆動歯車５に連動させている。一対の操作ベルト体３は、各無端ベルト２がナットＮの両側面を挟着せしめるように平面略Ｖ字形状に配設している（図１参照）。また、各操作ベルト体３の動歯車４が前記駆動歯車５に同時に歯合するように設けている。この結果、無端ベルト２相互に挟着される位置まで導入されたナットＮは、操作ベルト体３の回転に伴って回転するものとなる。
【００１３】
駆動歯車５は、電動ドライバーや電気ドリル等の締付け用工具Ｑの回転力を利用して回転させ、動歯車４を介して操作ベルト体３の無端ベルト２を回転させる。前述のごとく、各操作ベルト体３に設けた一対の動歯車４を同時に連動させることで、ナットＮは極めて安定した状態で回転することになる。
【００１４】
また、駆動歯車５に締付け用工具Ｑを連結し易くするために、連結凹部６を設けている（図３参照）。この連結凹部６は、締付け用工具Ｑの回転軸Ｑ１先端に着脱自在に連結するもので、断面角形状の回転軸Ｑ１に嵌合する形状を成している。図示例では、回転軸Ｑ１の側面に設けた溝部に嵌合する鋼球７Ａをスプリング７Ｂで押圧付勢するストッパー７を設けている。
【００１５】
ケース体Ｐは一対の操作ベルト体３や駆動歯車５などの部材を収納配置するものである（図２参照）。図示のケース体Ｐは、各部材を収納設置する収納部Ｐ２と、この収納部Ｐ２の開口上部を施蓋する蓋体Ｐ３とで構成している。そして、ケース体Ｐの一部に切欠挿入口Ｐ１を設けている。本発明は、長ボルトＲにネジ止めされたナットＮをこの切欠挿入口Ｐ１から操作ベルト体３の間に導入して電動ドリルＱの回転で回転せしめるものである。図示例では、無端ベルト２の間に挟着されたナットＮが上下に抜けないようにするため、収納部Ｐ２と蓋体Ｐ３とがナットＮの上下端部を覆うように形成している。
【００１６】
符号８はケース体Ｐの側面に連結するハンドルである。本発明使用時において作業者は、一方の手でハンドル８を支持し、他方の手で電動ドリルＱを操作するものである（図４参照）。
【００１７】
【発明の効果】
本発明は、上述の如く構成したことにより、当初の目的を達成する。
【００１８】
すなわち、一対の無端ベルト２でナットＮの両側面を挟着せしめるように一対の操作ベルト体３を配設すると共に、ケース体Ｐの一部に切欠挿入口Ｐ１を設け、この切欠挿入口Ｐ１から操作ベルト体３の間にナットＮを導入することにより、作業時に振動等の発生を防止してナットＮを容易に回転させることができる。
【００１９】
また、天井等から吊り下げられた全ねじボルトにナットＮを装着する場合でも、ナットＮの側面に押圧力を加える必要がないから、回転操作作業がきわめて容易である。
【００２０】
更に操作ベルト体３は、ナットＮ側面に挟着する一対の無端ベルト１が平面略Ｖ字状になるように配設され、各操作ベルト体３の動歯車４が前記駆動歯車５に同時に歯合するように設けているので、本発明ナット回し工具の装着操作が容易になる。また、ナットＮの径が異なっても適応してそのまま使用することができる。
【００２１】
そして、締付け用工具Ｑの回転軸Ｑ１先端部に着脱自在に連結する連結凹部６を駆動歯車５に設けたことで、本発明ナット回し工具と締付け用工具Ｑとの接続作業を簡略化でき、合理的な作業となる。
【００２２】
このように本発明によると、作業時に振動等の発生を防止してナットＮを容易に締付けることが可能になり、天井等から吊り下げられた全ねじボルトにナットを装着する場合でも、きわめて容易に回転操作作業を行うことができるなどといった有益な種々の効果を奏するものである。
【図面の簡単な説明】
【図１】本発明の一実施例を示す平断面図。
【図２】本発明の一実施例を示す分解斜視図。
【図３】本発明の駆動歯車の実施例を示す縦断面図。
【図４】本発明の使用状態を示す概略斜視図。
【符号の説明】
Ｐ　ケース体　　　　Ｐ１　切欠挿入口
Ｐ２　収納部
Ｐ３　蓋体
Ｑ　締付け用工具　　Ｑ１　回転軸
Ｒ　長ボルト
Ｎ　ナット
１　ローラー
２　無端ベルト
３　操作ベルト体
４　動歯車
５　駆動歯車
６　連結凹部
７　ストッパー　　　７Ａ　鋼球
７Ｂ　スプリング
８　ハンドル
【図１】
2004001124.tif 000003
【図２】
2004001124.tif 000004
【図３】
2004001124.tif 000005
【図４】
2004001124.tif 000006